(57)【要約】【課題】  複数の端末装置からの画像情報を用いて画像を投写する状況で、端末装置にファイルのコピー等をより簡易かつ視覚的にわかりやすく行わせることが可能なプロジェクター等を提供すること。【解決手段】  プロジェクター１００が、端末装置ごとの共有フォルダー、共有ファイル、指示標識を示すファイル共有画像を投写する投写部１９０と、端末装置から共有フォルダーおよび共有ファイルに関する共有情報と、指示標識に関する指示標識情報を受信する受信部１１０と、指示標識情報に基づき、指示標識が共有ファイルを示す位置から当該共有ファイルの属する共有フォルダーとは異なる共有フォルダーの位置に移動したかどうかを判定する判定部１３２と、共有ファイルを移動先の共有フォルダーに移動させる第１の制御情報を生成する制御情報生成部１３４と、第１の制御情報を端末装置に送信する送信部１２０を含んで構成される。【選択図】  図２
2011198012.tif 000002
【特許請求の範囲】
【請求項１】
複数の端末装置からの画像情報に基づく画像を投写するプロジェクターにおいて、
前記端末装置ごとの共有フォルダーと、当該共有フォルダーにおける共有ファイルと、指示標識と、を示すファイル共有画像を投写する投写部と、
前記端末装置から前記指示標識に関する指示標識情報を受信する受信部と、
前記指示標識情報に基づき、前記ファイル共有画像において、前記指示標識が前記共有ファイルを示す位置から、当該共有ファイルの属する前記共有フォルダーとは異なる前記共有フォルダーの位置に移動したかどうかを判定する判定部と、
当該判定部による判定結果が真である場合、前記共有ファイルを移動先の前記共有フォルダーに移動させ、あるいは、コピーさせる第１の制御情報を生成する制御情報生成部と、
前記第１の制御情報を、前記共有ファイルを有する前記端末装置へ向け送信する送信部と、
を含むプロジェクター。
【請求項２】
請求項１に記載のプロジェクターにおいて、
前記受信部は、前記端末装置から前記ファイル共有画像の投写指示を示す投写指示情報を受信し、
前記制御情報生成部は、前記投写指示情報に基づき、前記共有フォルダーおよび前記共有ファイルに関する共有情報を、前記端末装置に送信させるための第２の制御情報を生成し、
前記送信部は、前記第２の制御情報を前記複数の端末装置へ向け送信する、
プロジェクター。
【請求項３】
請求項２に記載のプロジェクターにおいて、
前記共有情報に基づき、前記ファイル共有画像における前記共有フォルダーおよび前記共有ファイルの領域を示す領域データを更新する更新部を含み、
前記投写部は、前記領域データに基づき、前記ファイル共有画像を投写する、
プロジェクター。
【請求項４】
請求項２、３のいずれかに記載のプロジェクターにおいて、
前記指示標識情報は、前記共有ファイルを移動させる移動指示情報または前記共有ファイルをコピーさせるコピー指示情報を含み、
前記投写部は、前記指示標識情報が前記移動指示情報を含む場合は、前記指示標識を第１の状態で表示し、前記指示標識情報が前記コピー指示情報を含む場合は、前記指示標識を前記第１の状態とは異なる第２の状態で表示する前記ファイル共有画像を投写する、
プロジェクター。
【請求項５】
請求項１〜４のいずれかに記載のプロジェクターにおいて、
前記ファイル共有画像は、第１の端末装置の前記共有フォルダーを示す第１の画像と、第２の端末装置の前記共有フォルダーを示す第２の画像とを含み、
前記投写部は、前記指示標識情報に基づいて、前記指示標識が前記第１の画像と前記第２の画像との境界を越えて移動する前記ファイル共有画像を投写する、
プロジェクター。
【請求項６】
複数の端末装置からの画像情報に基づく画像を投写するプロジェクターにおける投写方法において、
前記プロジェクターは、
前記端末装置ごとの共有フォルダーと、当該共有フォルダーにおける共有ファイルと、指示標識と、を示すファイル共有画像を投写し、
指示標識に関する指示標識情報を受信し、
前記指示標識情報に基づき、前記ファイル共有画像において、前記指示標識が前記共有ファイルを示す位置から、当該共有ファイルの属する前記共有フォルダーとは異なる前記共有フォルダーの位置に移動したかどうかを判定し、
当該判定の結果が真である場合、前記共有ファイルを、移動先の前記共有フォルダーに移動させ、あるいは、コピーさせる第１の制御情報を生成し、
前記第１の制御情報を、前記共有ファイルを有する前記端末装置へ向け送信する、
投写方法。
【発明の詳細な説明】
【技術分野】
【０００１】
本発明は、プロジェクターおよび投写方法に関する。
【背景技術】
【０００２】
例えば、会議等において、複数の端末装置からの画像情報を用いてプロジェクターが画像を投写する場合がある。例えば、特開２００４−５４７８３号公報では、複数の端末機器からサイズ変換処理されたキャプチャー画像データを受信して１画面の画像データに合成して表示する表示システムが記載されている。
【先行技術文献】
【特許文献】
【０００３】
【特許文献１】特開２００４−５４７８３号公報
【発明の概要】
【発明が解決しようとする課題】
【０００４】
このような状況で、会議資料を配付するために、ある端末装置に記憶された画像や文書等のファイルを他の端末装置にコピーしたり、移動したりする場合、例えば、ＦＴＰ（File Transfer Protocol）やファイル管理ソフト等を用いて他の端末装置に対するファイルコピー等を行ったり、電子メールに添付したりすることにより、他の端末装置にファイルを配布することは可能であるが、送信先の指定に手間がかかる上、視覚的にわかりにくい。
【０００５】
本発明にかかるいくつかの態様は、上記課題を解決することにより、複数の端末装置からの画像情報を用いて画像を投写する状況で、端末装置にファイルのコピー等をより簡易かつ視覚的にわかりやすく行わせることが可能なプロジェクターおよび投写方法を提供するものである。
【課題を解決するための手段】
【０００６】
本発明の態様の１つであるプロジェクターは、複数の端末装置からの画像情報に基づく画像を投写するプロジェクターにおいて、前記端末装置ごとの共有フォルダーと、当該共有フォルダーにおける共有ファイルと、指示標識と、を示すファイル共有画像を投写する投写部と、前記端末装置から前記指示標識に関する指示標識情報を受信する受信部と、前記指示標識情報に基づき、前記ファイル共有画像において、前記指示標識が前記共有ファイルを示す位置から、当該共有ファイルの属する前記共有フォルダーとは異なる前記共有フォルダーの位置に移動したかどうかを判定する判定部と、当該判定部による判定結果が真である場合、前記共有ファイルを移動先の前記共有フォルダーに移動させ、あるいは、コピーさせる第１の制御情報を生成する制御情報生成部と、前記第１の制御情報を、前記共有ファイルを有する前記端末装置へ向け送信する送信部と、を含むことを特徴とする。
【０００７】
また、本発明の態様の１つである投写方法は、複数の端末装置からの画像情報に基づく画像を投写するプロジェクターにおける投写方法において、前記プロジェクターは、前記端末装置ごとの共有フォルダーと、当該共有フォルダーにおける共有ファイルと、指示標識と、を示すファイル共有画像を投写し、指示標識に関する指示標識情報を受信し、前記指示標識情報に基づき、前記ファイル共有画像において、前記指示標識が前記共有ファイルを示す位置から、当該共有ファイルの属する前記共有フォルダーとは異なる前記共有フォルダーの位置に移動したかどうかを判定し、当該判定の結果が真である場合、前記共有ファイルを移動先の前記共有フォルダーに移動させ、あるいは、コピーさせる第１の制御情報を生成し、前記第１の制御情報を、前記共有ファイルを有する前記端末装置へ向け送信することを特徴とする。
【０００８】
本発明によれば、プロジェクターは、共有フォルダーおよび共有ファイルを示すファイル共有画像を投写し、当該ファイル共有画像における指示標識の移動に応じて共有ファイルの移動やコピーを行うことができる。これにより、プロジェクターは、複数の端末装置からの画像情報を用いて画像を投写する状況で、端末装置にファイルのコピー等をより簡易かつ視覚的にわかりやすく行わせることができる。
【０００９】
また、前記受信部は、前記端末装置から前記ファイル共有画像の投写指示を示す投写指示情報を受信し、前記制御情報生成部は、前記投写指示情報に基づき、前記共有フォルダーおよび前記共有ファイルに関する共有情報を前記端末装置に送信させるための第２の制御情報を生成し、前記送信部は、前記第２の制御情報を前記複数の端末装置へ向け送信してもよい。これによれば、プロジェクターは、投写指示に応じてファイル共有画像を投写することができるため、端末装置にファイルのコピー等をより簡易かつ視覚的にわかりやすく行わせることができる。
【００１０】
また、前記プロジェクターは、前記共有情報に基づき、前記ファイル共有画像における前記共有フォルダーおよび前記共有ファイルの領域を示す領域データを更新する更新部を含み、前記投写部は、前記領域データに基づき、前記ファイル共有画像を投写してもよい。これによれば、プロジェクターは、実際の共有状況に応じてファイル共有画像を投写することができ、共有状況の変化にも対応することができる。
【００１１】
また、前記指示標識情報は、前記共有ファイルを移動させる移動指示情報または前記共有ファイルをコピーさせるコピー指示情報を含み、前記投写部は、前記指示標識情報が前記移動指示情報を含む場合は、前記指示標識を第１の状態で表示し、前記指示標識情報が前記コピー指示情報を含む場合は、前記指示標識を前記第１の状態とは異なる第２の状態で表示する前記ファイル共有画像を投写してもよい。これによれば、プロジェクターは、移動指示の場合とコピー指示の場合で異なる状態で指示標識を表示することができるため、端末装置にファイルのコピー等をより視覚的にわかりやすく行わせることができる。
【００１２】
また、前記ファイル共有画像は、第１の端末装置の前記共有フォルダーを示す第１の画像と、第２の端末装置の前記共有フォルダーを示す第２の画像とを含み、前記投写部は、前記指示標識が前記第１の画像と前記第２の画像との境界を越えて移動する前記ファイル共有画像を投写してもよい。これによれば、プロジェクターは、端末装置ごとの画像の境界を越えて指示標識が移動するファイル共有画像を投写することができるため、端末装置にファイルのコピー等をより簡易かつ視覚的にわかりやすく行わせることができる。
【図面の簡単な説明】
【００１３】
【図１】第１の実施例における投写システムの一例を示す図である。
【図２】第１の実施例におけるプロジェクターの機能ブロック図である。
【図３】第１の実施例における投写手順を示すフローチャートである。
【図４】第１の実施例におけるファイル共有画像の一例を示す図である。
【図５】第１の実施例における通常画像の一例を示す図である。
【図６】第２の実施例におけるファイル共有画像の一例を示す図である。
【発明を実施するための形態】
【００１４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における投写システムの一例を示す図である。投写システムは、１台のプロジェクター１００と、ネットワーク（例えば、ＬＡＮ、インターネット等）３００を介してプロジェクター１００と接続された４台のＰＣ２００−１〜２００−４を含んで構成されている。端末装置の一種であるＰＣ２００は、画像情報等をプロジェクター１００へ向け送信し、プロジェクター１００は、ＰＣ２００からの画像情報等を用いて画像を投写する。
【００１６】
このような状況で、プロジェクター１００は、ＰＣ２００からの指示に応じて、各ＰＣ２００のＨＤＤに記憶された共有フォルダーにおける共有ファイルを、マウスポインター等のカーソル画像の移動指示に応じて他のＰＣ２００の共有フォルダーに移動したり、コピーしたりする機能を有している。
【００１７】
次に、このような機能を有するプロジェクター１００の機能ブロックについて説明する。図２は、第１の実施例におけるプロジェクター１００の機能ブロック図である。プロジェクター１００は、ＰＣ２００から指示標識情報や画像情報等を受信する受信部１１０と、ＰＣ２００へ向け制御情報等を送信する送信部１２０と、処理部１３０と、データを記憶する記憶部１４０と、画像を投写する投写部１９０を含んで構成されている。処理部１３０は、指示標識情報に基づく判定等を行う判定部１３２と、制御情報を生成する制御情報生成部１３４と、記憶部１４０内のデータを更新する更新部１３６を含んで構成されている。また、記憶部１４０は、ファイル共有画像における共有フォルダーおよび共有ファイルの領域と、通常画像においてＰＣ２００から送信された画像情報に基づく画像を表示する領域を示す領域データ１４２、カーソル画像の位置等を示す指示データ１４４等を記憶している。
【００１８】
なお、領域データ１４２は、ファイル共有画像を構成するＰＣ２００のＩＰアドレスを示すデータ等を含んでもよく、指示データ１４４は、カーソル画像に対応したＰＣ２００の識別情報（例えば、ＩＰアドレス、ＰＣ名、ユーザー名等）を示すデータや、カーソル画像の状態（例えば、共有ファイルのコピー操作中、共有ファイルの移動操作中、単なる操作中、非表示中等）を示すデータ等を含んでもよい。
【００１９】
また、プロジェクター１００は、以下のハードウェアを用いてこれらの各部として機能してもよい。例えば、プロジェクター１００は、受信部１１０、送信部１２０は無線通信ユニット、有線通信ユニット等、処理部１３０はＣＰＵ等、記憶部１４０はＲＡＭ等、投写部１９０は画像処理回路、ランプ、液晶パネル、液晶駆動回路、レンズ等を用いてもよい。なお、受信部１１０および送信部１２０は、通信部として一体化されてもよい。
【００２０】
次に、本実施例におけるファイル共有画像等の投写手順について説明する。図３は、第１の実施例における投写手順を示すフローチャートである。ユーザーは、ＰＣ２００におけるキーボードやマウス等を操作することにより、ファイル共有画像の投写指示を行う。判定部１３２は、受信部１１０によってＰＣ２００からファイル共有画像の投写指示を示す投写指示情報が受信されたかどうかを判定する（ステップＳ１）。
【００２１】
当該投写指示情報が受信された場合、制御情報生成部１３４は、領域データ１４２等に基づき、共有フォルダーおよび共有ファイルに関する共有情報を送信させるための送信制御情報（第２の制御情報）を生成し、送信部１２０は、当該送信制御情報を当該送信制御情報で指定された送信先のＰＣ２００へ向け送信する（ステップＳ２）。なお、送信制御情報は、例えば、ファイル共有画像を構成するＰＣ２００のＩＰアドレスを示す情報、各ＰＣ２００における共有フォルダーおよび共有ファイルを示す共有情報の送信指示を示す情報等を含んでもよい。
【００２２】
判定部１３２は、受信部１１０によってＰＣ２００から上記共有情報が受信されたかどうかを判定する（ステップＳ３）。共有情報が受信された場合、更新部１３６は、例えば、共有情報に応じて各ＰＣ２００の共有フォルダーの名称、共有ファイルの名称、ファイル共有画像における共有フォルダーの領域、ファイル共有画像における共有ファイルの領域を更新するように、領域データ１４２を更新する（ステップＳ４）。
【００２３】
また、判定部１３２は、受信部１１０によってＰＣ２００からカーソル画像（指示標識）に関する指示標識情報が受信されたかどうかを判定する（ステップＳ５）。例えば、ファイル共有画像が投写された状態で、ユーザーがＰＣ２００におけるマウスを操作してファイル共有画像におけるカーソル画像を移動させることにより、ＰＣ２００は、マウスの操作に応じた座標位置とＰＣ２００のＩＰアドレスを示す指示標識情報をプロジェクター１００へ向け送信する。
【００２４】
指示標識情報が受信された場合、更新部１３６は、指示標識情報に含まれるＰＣ２００のＩＰアドレス、指示標識情報に含まれる座標情報等に応じて指示データ１４４を更新する（ステップＳ６）。これにより、指示データ１４４は、ＰＣ２００ごとのカーソル画像を用いた指示位置を示すことができる。
【００２５】
投写部１９０は、領域データ１４２、指示データ１４４に基づき、ファイル共有画像を生成し、ファイル共有画像をスクリーン等に投写する（ステップＳ７）。
【００２６】
図４は、第１の実施例におけるファイル共有画像４００の一例を示す図である。例えば、ファイル共有画像４００では、ＰＣ２００−１（第１の端末装置）の共有フォルダーおよび共有ファイルを示す個別画像４１１（第１の画像）が左上の領域に配置され、ＰＣ２００−２（第２の端末装置）の共有フォルダーおよび共有ファイルを示す個別画像４１２（第２の画像）が右上の領域に配置され、ＰＣ２００−３（第３の端末装置）の共有フォルダーおよび共有ファイルを示す個別画像４１３（第３の画像）が左下の領域に配置され、ＰＣ２００−４（第４の端末装置）の共有フォルダーおよび共有ファイルを示す個別画像４１４（第４の画像）が右下の領域に配置されている。
【００２７】
例えば、ＰＣ２００−１のユーザーが、ＰＣ２００−１のキーボードの「ＣＴＲＬ」キーと「１」キーを同時に押すことにより、カーソル画像４２０の操作開始指示を行う。この場合、更新部１３６は、操作開始指示を示す指示標識情報に基づき、カーソル画像４２０を表示することを示すように指示データ１４４を更新する。
【００２８】
また、例えば、カーソル画像４２０が共有フォルダーＡの共有ファイルＡにある状態で、ＰＣ２００−１のユーザーは、ＰＣ２００−１のキーボードの「ＣＴＲＬ」キーと「Ｃ」キーを同時に押す操作（共有ファイルのコピー指示操作）を行い、カーソル画像４２０が共有フォルダーＤの位置まで移動するようにＰＣ２００−１のマウスの移動操作を行い、ＰＣ２００−１のキーボードの「ＣＴＲＬ」キーと「Ｖ」キーを同時に押すことによって貼り付け操作を行う。
【００２９】
この場合、更新部１３６は、共有ファイルのコピー指示操作を示す指示標識情報（コピー指示情報を含む指示標識情報）に基づき、領域データ１４２を更新し、貼り付け操作を示す指示標識情報に基づき、領域データ１４２を更新する。
【００３０】
なお、指示標識の一種であるカーソル画像４２０は、矢印形状で構成され、コピー操作の場合は「Ｃ」が付された状態で表示される。すなわち、投写部１９０は、コピー指示情報を含む指示標識情報の場合、カーソル画像４２０を「Ｃ」が付された状態（第１の状態）で表示するファイル共有画像４００を投写する。
【００３１】
また、判定部１３２は、指示標識情報、領域データ１４２、指示データ１４４に基づき、カーソル画像４２０が共有ファイルを示す位置から当該共有ファイルの属する共有フォルダーの位置に移動することにより、共有ファイルのコピー操作中に貼り付け操作が行われたかどうかを判定する。
【００３２】
共有ファイルのコピー操作中に貼り付け操作が行われた場合、制御情報生成部１３４は、領域データ１４２、指示データ１４４に基づき、対象となった共有ファイルＡ１のコピー元のＰＣ２００−１からコピー先のＰＣ２００−３に共有ファイルＡ１をコピー送信させるコピー送信制御情報（第１の制御情報、例えば、ＦＴＰコマンド等）を生成し、送信部１２０は、当該コピー送信制御情報をＰＣ２００−１へ向け送信してもよい。これにより、ＰＣ２００−１によってＰＣ２００−１のＨＤＤにある共有ファイルＡ１がＰＣ２００−３のＨＤＤにある共有フォルダーＤにコピーされる。
【００３３】
また、例えば、ＰＣ２００−１のユーザーは、ＰＣ２００−１のキーボードの「ＣＴＲＬ」キーと「２」キーを同時に押すことにより、カーソル画像４２０の操作終了指示を行う。この場合、更新部１３６は、操作終了指示を示す指示標識情報に基づき、カーソル画像４２０を表示しないことを示すように指示データ１４４を更新する。
【００３４】
ステップＳ１の判定で投写指示情報がないと判定された場合、あるいは、受信部１１０によってファイル共有画像の投写終了指示を示す指示情報が受信された場合、投写部１９０は、各ＰＣ２００からの画像情報と、領域データ１４２に基づき、通常画像を生成して投写する（ステップＳ８）。
【００３５】
図５は、第１の実施例における通常画像５００の一例を示す図である。例えば、通常画像５００では、ＰＣ２００−１の画像情報に基づく画像を示す個別画像５１１が左上の領域に配置され、ＰＣ２００−２の画像情報に基づく画像を示す個別画像５１２が右上の領域に配置され、ＰＣ２００−３の画像情報に基づく画像を示す個別画像５１３が左下の領域に配置され、ＰＣ２００−４の画像情報に基づく画像を示す個別画像５１４が右下の領域に配置されている。
【００３６】
なお、この画像情報は、例えば、ＰＣ２００で表示中の画像がキャプチャーされることによって生成された画像の情報であり、動画像情報であってもよいし、静止画像情報であってもよい。
【００３７】
プロジェクター１００は、終了指示があったかどうかを判定し（ステップＳ９）、終了指示があるまで上述した一連の処理（ステップＳ１〜Ｓ９）を繰り返し実行する。
【００３８】
以上のように、本実施例によれば、プロジェクター１００は、共有フォルダーおよび共有ファイルを示すファイル共有画像４００を投写し、当該ファイル共有画像４００におけるカーソル画像４２０の移動に応じて共有ファイルのコピーを行うことができる。これにより、プロジェクター１００は、複数のＰＣ２００からの画像情報を用いて画像を投写する状況で、ＰＣ２００にファイルのコピーをより簡易かつ視覚的にわかりやすく行わせることができる。これにより、ユーザーは、会議や授業等において、資料の配布等を容易に行うことができる。
【００３９】
また、本実施例によれば、プロジェクター１００は、投写指示に応じてファイル共有画像４００を投写することができるため、ＰＣ２００にファイルのコピーをより簡易かつ視覚的にわかりやすく行わせることができる。
【００４０】
また、本実施例によれば、プロジェクター１００は、各ＰＣ２００からの共有情報に基づいて更新される領域データ１４２を用いることにより、実際の共有状況に応じてファイル共有画像を投写することができ、共有状況の変化（例えば、共有フォルダーの追加、削除等、共有ファイルの追加、削除等）にも対応することができる。
【００４１】
また、プロジェクター１００は、領域データ１４２に基づいて通常画像５００を投写することにより、ファイル共有画像４００における個別画像４１１〜４１４の配置と通常画像５００における個別画像５１１〜５１４の配置を一致させることができるため、ＰＣ２００にファイルのコピーをより簡易かつ視覚的にわかりやすく行わせることができる。
【００４２】
また、本実施例によれば、プロジェクター１００は、ＰＣ２００ごとの個別画像４１１〜４１４の境界を越えてカーソル画像４２０が移動するファイル共有画像４００を投写することができるため、ＰＣ２００にファイルのコピーをより簡易かつ視覚的にわかりやすく行わせることができる。
【００４３】
（第２の実施例）
第１の実施例では、共有ファイルのコピーについて説明したが、プロジェクター１００は、共有ファイルの移動等を行うことも可能である。図６は、第２の実施例におけるファイル共有画像４０１の一例を示す図である。ファイル共有画像４０１は、ファイル共有画像４００と同様の画像である。
【００４４】
例えば、カーソル画像４２１が共有フォルダーＡの共有ファイルＡにある状態で、ＰＣ２００−１のユーザーは、ＰＣ２００−１のキーボードの「ＣＴＲＬ」キーと「Ｘ」キーを同時に押す操作（共有ファイルの移動指示操作）を行い、カーソル画像４２０が共有フォルダーＤの位置まで移動するようにＰＣ２００−１のマウスの移動操作を行い、ＰＣ２００−１のキーボードの「ＣＴＲＬ」キーと「Ｖ」キーを同時に押すことによって貼り付け操作を行う。この場合、更新部１３６は、共有ファイルの移動指示操作を示す指示標識情報（移動指示情報を含む指示標識情報）に基づき、領域データ１４２を更新し、貼り付け操作を示す指示標識情報に基づき、領域データ１４２を更新する。
【００４５】
なお、指示標識の一種であるカーソル画像４２１は、矢印形状で構成され、共有ファイルの移動操作の場合は「Ｍ」が付された状態で表示される。すなわち、投写部１９０は、移動指示情報を含む指示標識情報の場合、カーソル画像４２１を「Ｍ」が付された状態（第２の状態）で表示するファイル共有画像４０１を投写する。
【００４６】
また、判定部１３２は、指示標識情報、領域データ１４２、指示データ１４４に基づき、カーソル画像４２０が共有ファイルを示す位置から当該共有ファイルの属する共有フォルダーの位置に移動することにより、共有ファイルの移動操作中に貼り付け操作が行われたかどうかを判定する。共有ファイルの移動操作中に貼り付け操作が行われた場合、制御情報生成部１３４は、領域データ１４２、指示データ１４４に基づき、対象となった共有ファイルＡ１のコピー元のＰＣ２００−１からコピー先のＰＣ２００−３に共有ファイルＡ１を移動送信させる移動送信制御情報（第１の制御情報、例えば、ＦＴＰコマンド等）を生成し、送信部１２０は、当該移動送信制御情報をＰＣ２００−１へ向け送信してもよい。これにより、ＰＣ２００−１によってＰＣ２００−１のＨＤＤにある共有ファイルＡ１がＰＣ２００−３のＨＤＤにある共有フォルダーＤに移動される。
【００４７】
以上のように、本実施例によっても、プロジェクター１００は、第１の実施例と同様の作用効果を奏し、ＰＣ２００にファイルの移動をより簡易かつ視覚的にわかりやすく行わせることができる。
【００４８】
また、本実施例によれば、プロジェクター１００は、カーソル画像４２１に関する指示内容に応じて指示データ１４４を更新することにより、指示データ１４４を用いてどのような操作が行われているか判別することができ、移動指示の場合とコピー指示の場合で異なる状態でカーソル画像４２０、４２１を表示することができるため、ＰＣ２００にファイルの移動等をより視覚的にわかりやすく行わせることができる。
【００４９】
（その他の実施例）
なお、本発明の適用は上述した実施例に限定されず、種々の変形が可能である。例えば、更新部１３６は、各ＰＣ２００からの指示標識情報に基づき、指示データ１４４におけるユーザーごとのカーソル画像に関するデータを更新し、投写部１９０は、ユーザーごとの複数のカーソル画像を含むファイル共有画像を投写してもよい。
【００５０】
また、カーソル画像４２０、４２１の表示方法は、上述した実施例に限定されず、例えば、操作内容に応じて異なる色、異なる形状、異なる模様等で表示されてもよい。また、ＰＣ２００の台数および個別画像４１１〜４１４、５１１〜５１４の個数は４に限定されず、３以下であってもよいし、５以上であってもよい。
【００５１】
また、指示データ１４４は、ユーザーやＰＣ２００ごとの操作に関する権限を示す権限データを含んでもよく、判定部１３２は、権限データに基づいてコピー操作、移動操作の許否を決定してもよい。
【００５２】
また、投写部１９０は、個別画像４１１〜４１４として、共有フォルダーに加え、共有フォルダー以外の非共有フォルダーを表示してもよい。この場合、判定部１３２は、領域データ１４２に基づき、非共有フォルダーに対するコピー操作等を無効と決定してもよい。
【００５３】
また、判定部１３２は、指示標識情報に基づき、カーソル画像４２０、４２１が共有ファイルを示す位置から当該共有ファイルの属する共有フォルダーの位置に移動したかどうかを判定し、制御情報生成部１３４は、当該判定結果が真である場合、当該共有ファイルを、移動先の共有フォルダーに移動させ、あるいは、コピーさせる制御情報を生成してもよい。すなわち、移動指示情報やコピー指示情報は必須ではなく、制御情報生成部１３４は、プロジェクター１００内部における設定に応じて移動かコピーかを決定してもよい。また、更新部１３６、領域データ１４２、指示データ１４４も必須ではない。例えば、ＰＣ２００の台数によって個別画像４１１〜４１４の領域が決定され、個別画像４１１〜４１４の領域と共有フォルダーの領域が一致しており、指示標識情報が当該領域に対応した絶対座標を示す情報である場合、判定部１３２は、領域データ１４２や指示データ１４４を用いることなく、上記判定を行うことが可能である。
【００５４】
また、端末装置は、ＰＣ２００に限定されず、例えば、携帯電話、携帯情報端末、ゲーム装置等であってもよい。
【００５５】
また、プロジェクター１００の有するコンピューターは、情報記憶媒体に記憶されたプログラムを読み取って判定部１３２等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００５６】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００の機能を複数の装置（例えば、ＰＣとプロジェクター等）に分散してもよい。
【符号の説明】
【００５７】
１００  プロジェクター、１１０  受信部、１２０  送信部、１３０  処理部、１３２  判定部、１３４  制御情報生成部、１３６  更新部、１４０  記憶部、１４２  領域データ、１４４  指示データ、１９０  投写部、２００  ＰＣ（端末装置、第１の端末装置、第２の端末装置）、３００  ネットワーク、４００、４０１  ファイル共有画像、４１１〜４１３、５１１〜５１３  個別画像（第１の画像、第２の画像）、４２０、４２１  カーソル画像（識別標識）、５００  通常画像
【図１】
2011198012.tif 000003
【図２】
2011198012.tif 000004
【図３】
2011198012.tif 000005
【図４】
2011198012.tif 000006
【図５】
2011198012.tif 000007
【図６】
2011198012.tif 000008